(57)【特許請求の範囲】
【請求項１】
所定の間隔をあけて立設された複数の支柱と、隣接する前記支柱間に上下複数段に取り付けられた遮音パネル及び光源パネルと、を備えて構成されている照明内蔵型遮音壁であって、
前記遮音パネルは、内部に空洞を有する長板状で一面側に開口部が形成された背面板と、前記空洞内に取り付けられ前記開口部から外部に露出する遮音機構と、を有し、
前記光源パネルは、前記背面板と、前記背面板の前記開口部に発光面を向けて前記背面板の内部に着脱可能に設けられた有機ＥＬ照明と、
を備え、
前記有機ＥＬ照明は、複数の有機ＥＬパネルが着脱可能に取り付けられて形成されていることを特徴とする照明内蔵型遮音壁。
【請求項２】
前記有機ＥＬ照明の前記発光面は、前記背面板内において前記支柱に非平行に設けられていることを特徴とする請求項１記載の照明内蔵型遮音壁。
【請求項３】
前記有機ＥＬ照明の前記発光面は、前記背面板内において前記支柱に平行に設けられていることを特徴とする請求項１記載の照明内蔵型壁。
【請求項４】
前記有機ＥＬ照明はブラケットを介して取り付けられていることを特徴とする請求項１乃至３の何れか１項記載の照明内蔵型遮音壁。
【請求項５】
前記背面板に着脱可能に取り付けられ前記背面板の前記開口部を閉じる透光板を更に備えることを特徴とする請求項１乃至４の何れか１項記載の照明内蔵型遮音壁。
【請求項６】
前記透光板に意匠が施されていることを特徴とする請求項５記載の照明内蔵型遮音壁。
【発明の詳細な説明】
【技術分野】
【０００１】
本発明は、美観に優れ設置作業の容易な、光源として有機ＥＬ（Electro Luminescence）照明を利用した照明内蔵型遮音壁に関するものである。
【背景技術】
【０００２】
従来から、高速道路等の車両が通行する道路では、車両が走行する際に発せられる騒音が道路外の住宅地等に伝わることを防止するため、路側に遮音壁が設けられている（特許文献１参照）。
【０００３】
こうした遮音壁の一例として、所定の間隔を空けて地面に立設された支柱間に、遮音パネルを上下に重ねて取り付けるものが用いられている（特許文献２参照）。こうした態様の遮音壁は、設置やメンテナンスを容易にする等の観点から採用されるものである。
【０００４】
また、道路の路側には、路面を適切な明るさで照らし車両を安全に走行させるため、各種の照明設備が設けられている。
【０００５】
こうした照明設備を遮音壁の設けられている区間に設置する際には、照明設備を遮音壁に設けることが合理的である。
【０００６】
そこで、例えば、複数の遮音パネルを上下に重ね合わせて構成されるパネルタイプの遮音壁に取り付けられて用いられる、外付けタイプの照明装置が用いられている（特許文献３参照）。
【０００７】
また、同様なパネルタイプの遮音壁において、パネルに内蔵される内蔵タイプの照明装置も用いられている（特許文献４参照）。
【先行技術文献】
【特許文献】
【０００８】
【特許文献１】特開２０００−０７３３１９号公報
【特許文献２】特開２００６−３００２８２号公報
【特許文献３】特開平７−２６２８１１号公報
【特許文献４】実開平５−３３１８号公報
【発明の概要】
【発明が解決しようとする課題】
【０００９】
上述した従来の外付けタイプ及び内蔵タイプの何れの照明装置も、光源として白熱灯、ハロゲン灯、高圧ナトリウムランプ等、点灯時の発熱量が多い光源を用いるものであり、また照明装置全体の重量や体積も大きくなる傾向があった。
【００１０】
そのため、外付けタイプの照明装置では、遮音壁への設置に際し、設置個所を補強する必要があった。また、外付けタイプの照明装置は、取り付けられた状態において照明装置本体が外部に突出した状態となるため美観を損ねていた。
【００１１】
一方、遮音パネルへの内蔵タイプの照明装置においても、上述した従来の光源を用いる場合には、照明装置の重量を支持するための強度や、光源から発せられる熱の発散、光源の内蔵に要する容積の確保等のため、照明装置を内蔵するパネルは他の遮音パネルと大きく異なる外観となり、遮音壁全体としての美観を損ねていた。
【００１２】
具体的には、道路側に照明装置が突出したり、路面と反対側にパネルの点灯機構を納める体積を確保したり、放熱したりするための突出部を形成する必要があり、美観を大きく損ねていた。
【００１３】
また、従来の外付けタイプの照明装置と内蔵タイプの照明装置の何れの照明装置も、光源を施工現場で取り付ける必要があり、遮音壁の設置作業が煩雑なものとなっていた。
【００１４】
そこで、本発明は上述した問題点に鑑みて案出されたものであり、パネルタイプの遮音壁において光源として軽量かつ薄型の有機ＥＬ照明を内蔵し、施工性及び美観性に優れる照明内蔵型遮音壁を提供することを目的とする。
【課題を解決するための手段】
【００１５】
本発明者は、上述した課題を解決するために、パネルタイプの遮音壁において光源として軽量かつ薄型の有機ＥＬ照明を内蔵し、施工性及び美観性に優れる照明内蔵型遮音壁を発明した。
【００１６】
第１発明に係る照明内蔵型遮音壁は、所定の間隔をあけて立設された複数の支柱と、隣接する前記支柱間に上下複数段に取り付けられた遮音パネル及び光源パネルと、を備えて構成されている照明内蔵型遮音壁であって、前記遮音パネルは、内部に空洞を有する長板状で一面側に開口部が形成された背面板と、前記空洞内に取り付けられ前記開口部から外部に露出する遮音機構と、を有し、前記光源パネルは、前記背面板と、前記背面板の前記開口部に発光面を向けて前記背面板の内部に着脱可能に設けられた有機ＥＬ照明と、を備え、前記有機ＥＬ照明は、複数の有機ＥＬパネルが着脱可能に取り付けられて形成されていることを特徴とする。
【００１７】
第２発明に係る照明内蔵型遮音壁は、第１発明において、前記有機ＥＬ照明の前記発光面は、前記背面板内において前記支柱に非平行に設けられていることを特徴とする。
【００１８】
第３発明に係る照明内蔵型遮音壁は、第１発明において、前記有機ＥＬ照明の前記発光面は、前記背面板内において前記支柱に平行に設けられていることを特徴とする
【００１９】
第４発明に係る照明内蔵型遮音壁は、第１乃至第３発明の何れか１つにおいて、前記有機ＥＬ照明は、ブラケットを介して取り付けられていることを特徴とする。
【００２１】
第５発明に係る照明内蔵型遮音壁は、第１発明乃至第４発明の何れか１つにおいて、前記背面板に着脱可能に取り付けられ前記背面板の前記開口部を閉じる透光板を更に備えることを特徴とする。
【００２２】
第６発明に係る照明内蔵型遮音壁は、第５発明において、前記透光板に意匠が施されていることを特徴とする。
【発明の効果】
【００２３】
上述した構成からなる本発明によれば、パネルタイプの遮音壁において光源として軽量かつ薄型の有機ＥＬ照明を内蔵し、施工性及び美観性に優れる照明内蔵型遮音壁を提供することが可能となる。
【図面の簡単な説明】
【００２４】
【図１】本発明の実施形態に係る照明内蔵型遮音壁を示す、（Ａ）は正面図、（Ｂ）は平面図である。
【図２】図１の照明内蔵型遮音壁に用いられる光源パネルを示す正面斜視図である。
【図３】図１の照明内蔵型遮音壁に用いられる光源パネルを示す背面斜視図である。
【図４】光源パネルから透光板を取り外した状態を示す正面斜視図である。
【図５】光源パネルから透光板と有機ＥＬパネルを取り外した状態を示す正面斜視図である。
【図６】光源パネルを構成する背面板本体とブラケットの取り付け状態を示す正面斜視図である。
【図７】背面板本体への取付補強板の取り付け状態を示す正面斜視図である。
【図８】透光板に意匠が施された様子を示す概略正面図であり、（Ａ）は標識として用いられる場合を、（Ｂ）は壁画として用いられる場合を示す概略正面図である。
【発明を実施するための形態】
【００２５】
以下、本発明の実施形態に係る照明内蔵型遮音壁について説明する。
【００２６】
図１は、本発明の実施形態に係る照明内蔵型遮音壁１を示す、（Ａ）は正面図、（Ｂ）は平面図である。図１に示すように、本実施形態に係る照明内蔵型遮音壁１は、所定の間隔をあけて立設された複数の支柱２と、隣接する支柱２間に上下複数段に取り付けられた遮音パネル３及び光源パネル４とにより構成される壁面５を備えて構成されている。
【００２７】
支柱２は、ウェブ２１及びウェブ２１に対して垂直に設けられたフランジ２２を有するＨ型鋼よりなる柱部材である。隣接する支柱２のフランジ間に遮音パネル３や光源パネル４が挟み込まれることで、遮音パネル３や光源パネル４が上下複数段に重ねられて壁面５が形成されている。
【００２８】
遮音パネル３は光源パネル４の背面板４１と同一形状の背面板を有し、遮音機能を発揮するパネルである。遮音パネル３は、内部に空洞を有する長板状で正面側（図１の紙面手前側）に開口部が形成された、光源パネル４の背面板４１と同一の外形状を有する背面板３１と、空洞内に取り付けられ開口部から外部に露出する遮音機構３３と、を有して構成されている。
【００２９】
遮音パネル３の背面板３１は光源パネル４の背面板４１と同一の外形であり、遮音パネル３の背面板本体は光源パネル４の背面板本体４２と同一のものであるため、光源パネル４の説明部分で詳述する。遮音パネル３の遮音機構３３としては、公知の種々の遮音機構を用いることができる。
【００３０】
図２は、図１の照明内蔵型遮音壁１に用いられる光源パネル４を示す正面斜視図である。図３は、図１の照明内蔵型遮音壁１に用いられる光源パネル４を示す背面斜視図である。図４は、光源パネル４から透光板７を取り外した状態を示す正面斜視図である。図５は、光源パネル４から透光板７と有機ＥＬパネル６を取り外した状態を示す正面斜視図である。図６は、光源パネル４を構成する背面板本体４２とブラケット４６の取り付け状態を示す正面斜視図である。
【００３１】
光源パネル４は、背面板４１と、背面板４１の開口部に発光面を向けて着脱可能に取り付けられた有機ＥＬパネル６と、背面板４１の開口部を閉じる透光板７と、を備えて構成されている。
【００３２】
背面板４１は、背面板本体４２と、背面板本体４２の内部空洞４２１内に取り付けられた取付補強板４３、４４と、取付補強板４３、４４を介して取り付けられたブラケット４６と、を備えて構成されている。
【００３３】
背面板本体４２は金属製の部材であり、上述した遮音パネル３の背面板と同一の形状を有し、内部空洞４２１を有する長板状で一面側に開口部が形成された容器状の部材である。
【００３４】
内部空洞４２１は、取付補強板４３、４４、ブラケット４６、有機ＥＬパネル６及び有機ＥＬパネル６の図示しない電気配線等を収納可能な容積を有している。
【００３５】
背面板本体４２の内部空洞４２１には、背面板本体４２の長手方向に沿い基底面から内部空洞４２１内に突出するように突条部４２２が形成されている。この突条部４２２が形成されていることで背面板本体４２の機械的強度が高まるとともに、ブラケット４６の取付時にブラケット４６の裏面に当接しこれを支持することでブラケット４６の取付強度を高めることができる。
【００３６】
図７は、背面板本体４２への取付補強板４３、４４の取り付け状態を示す正面斜視図である。
【００３７】
取付補強板４３と取付補強板４４は同一の形状を有する金属製の部材である。取付補強板４３（４４）は、長板状の基底板４３１（４４１）と、基底板４３１（４４１）の長手方向に平行な一辺から垂直に立設された背板４３２（４４２）と、基底板４３１（４４１）の長手方向に平行な他辺から順に段状に形成された第１段部４３３ａ（４４３ａ）、第２段部４３３ｂ（４４３ｂ）及び第３段部４３３ｃ（４４３ｃ）とを備えて構成されている。
【００３８】
背板４３２（４４２）、第１段部４３３ａ（４４３ａ）、第２段部４３３ｂ（４４３ｂ）及び第３段部４３３ｃ（４４３ｃ）には、光源パネル４の他の構成部品をねじ等を用いて取り付けるための孔部が適宜設けられている。
【００３９】
取付補強板４３（４４）の背面板本体４２への取り付けは、図７に示すように背板４３２（４４２）をねじ４２３により背面板本体４２の内部空洞４２１の基底面に取り付けることで行われる。具体的には、取付補強板４３（４４）の背板４３２（４４２）と背面板本体４２の内部空洞４２１の基底面とに、それぞれ対向する所定の位置に孔部を設け、背面板４１の裏側からねじ４２３をこれらの孔部に螺合させることで行われる。
【００４０】
ブラケット４６は、有機ＥＬパネル６を所望の角度に取り付けるための金属製の部材である。本実施形態においてはブラケット４６は有機ＥＬパネル６を路面に向けて傾斜するように形成されているが、本発明においてはこれに限らず、ブラケット４６は有機ＥＬパネル６を路面に対して垂直な角度等、任意の角度に取り付けるよう形成することができる。
【００４１】
ブラケット４６は、図６に示すように、長板状に形成された底面４６１と、底面４６１に連続して形成されこれと鋭角をなすパネル載置面４６２と、底面４６１のパネル載置面４６２が形成されている辺と対向する辺において底面４６１から垂直に、パネル載置面４６２と反対方向に立設された下部取付板４６３と、パネル載置面４６２において底面４６１と接する辺と対向する辺から鈍角に立設された上部取付板４６４と、を備えて構成されている。
【００４２】
上部取付板４６４と下部取付板４６３には、それぞれブラケット４６を取り付ける際に用いられるねじ穴が形成されている。
【００４３】
ブラケット４６の取付時、底面４６１は、背面板本体４２の内部空洞４２１の長手方向に平行な側面（図６の紙面下方の側面）上に載置される。この状態において、ブラケット４６の上部取付板４６４は取付補強板４３の第１段部４３３ａと当接し、下部取付板４６３は取付補強板４４の第１段部４４３ａと当接する。また、背面板の内部空洞４２１に設けられた突条部４２２が、パネル載置面４６２の裏面に当接しこれを支持した状態となる。
【００４４】
そして、ブラケット４６の上部取付板４６４を取付補強板４３の第１段部４３３ａにねじ４５を用いて固定するとともに、下部取付板４６３を取付補強板４４の第１段部４４３ａにねじ４５を用いて固定する。これにより、取付補強板４３、４４を介したブラケット４６の背面板本体４２への取り付けが完了する。
【００４５】
こうしてブラケット４６が取り付けられた状態において、パネル載置面４６２は図６に示すように紙面下方に向いた状態となっている。本実施形態においては、この紙面下方の向きは照明内蔵型遮音壁１を路側に設置した際の路面方向となる。
【００４６】
このようにパネル載置面４６２が傾斜した状態（支柱２に非平行な状態）となっていることから、有機ＥＬパネル６により効果的に路面を照らすことが可能となる。
【００４７】
有機ＥＬパネル６は、図５に示すように、４枚の有機ＥＬ素子６１により構成される有機ＥＬユニット６５が一列に並べられて構成されている有機ＥＬ光源である。
【００４８】
有機ＥＬユニット６５は図示しない基板上に４枚の有機ＥＬ素子６１を縦横に並べて配置されている。こうした有機ＥＬユニット６５が複数枚、ブラケット４６のパネル載置面４６２にねじ等の所定の取付手段を用いて着脱可能に一列に並べて取り付けられている。なお、この有機ＥＬパネル６の有機ＥＬ素子６１を発光させるための電気配線の図示は省略されている。
【００４９】
透光板７は、図２に示すように、背面板本体４２の開口サイズと略同一の大きさを有していて、この開口部を閉じるための透光性の樹脂よりなる板材である。透光板７の材料としては、ポリカーボネート等の樹脂材料を好適に用いることができる。透光板７は透明や半透明等、光を通過可能であればよく、着色されていてもよい。
【００５０】
透光板７の図２に示す上下方向の周縁部には透光板７の取り付けに用いられる孔部が形成されている。この孔部は取付補強板４３（４４）の第３段部４３３ｃ（４４３ｃ）に形成された孔部と対応する位置に設けられていて、これらの孔部にねじ７５が螺合されることで透光板７の取り付けが行われる。
【００５１】
この透光板７があることにより、背面板４１内部の有機ＥＬパネル６を風雨等から守り、有機ＥＬパネル６の破損を効果的に防止することができる。
【００５２】
上述した実施形態に係る照明内蔵型遮音壁１によると、光源パネル４の背面板４１は遮音パネル３の背面板と同一の外形を有しているため、両パネルは路面側から見た外観上の際を最小限に抑えつつ、特に背面側においては同一形状を有することになり、美観を損ねることを防止することができる。
【００５３】
また、路面側において光源となる有機ＥＬパネル６が光源パネル４から路面側に突出することが無く、路面側においても美観を損ねることを防止することができる。
【００５４】
また、有機ＥＬパネル６は軽量かつ薄型であるため、光源パネル４の取り付けに際して支柱等の補強を行う必要が無く、照明内蔵型遮音壁１を容易に設置することができる。
【００５５】
また、有機ＥＬパネル６に破損が生じた場合、路面側から透光板７を取り外し、破損した有機ＥＬユニット６５のみを交換することができる。すなわち、支柱２間から光源パネル４を引き抜いたり、有機ＥＬパネル６全体を交換したりする等の大掛かりな作業を要することなく、容易にメンテナンス作業を行うことができる。そのため、本発明に係る照明内蔵型遮音壁１はメンテナンス性に優れたものとなっている。
【００５６】
なお、本発明は上述した実施形態に限られず、種々の変形を採用することができる。
【００５７】
図８は、透光板７に意匠が施された様子を示す概略正面図であり、（Ａ）は標識として用いられる場合を、（Ｂ）は壁画として用いられる場合を示す概略正面図である。
【００５８】
本発明においては、光源パネル４を単なる照明としてではなく、光る標識（図８（Ａ）の場合）や光る壁画（図８（Ｂ））として用いるため、透光板７に意匠が施されている。
【００５９】
光源パネル４を標識として用いる場合には、図８（Ａ）に示すように、透光板７に濃い色彩の部分７１と、薄い色彩の部分７２を形成し、薄い色彩の部分７２で標識として必要な図柄（本図では矢印）を形成している。
【００６０】
また、光源パネル４を壁画として用いる場合には、図８（Ｂ）に示すように、透光板７に濃い色彩の部分７１と、薄い色彩の部分７２を形成し、薄い色彩の部分７２で画像（本図では樹木とその周囲にある明るい円形）を形成している。
【００６１】
このように、透光板７に意匠を施すことで、光源パネル４を単なる照明以外の他の用途にも活用することができる。
【符号の説明】
【００６２】
１  照明内蔵型遮音壁
２  支柱
３  遮音パネル
４  光源パネル
５  壁面
６  有機ＥＬパネル
７  透光板
４１  背面板
４２  背面板本体
４３、４４  取付補強板
４６  ブラケット
【図１】
0006449624.tif 000002
【図２】
0006449624.tif 000003
【図３】
0006449624.tif 000004
【図４】
0006449624.tif 000005
【図５】
0006449624.tif 000006
【図６】
0006449624.tif 000007
【図７】
0006449624.tif 000008
【図８】
0006449624.tif 000009